(57)【要約】【課題】電子機器の利便性を向上させることが可能な技術を提供する。【解決手段】電子機器は決定部及び表示部を備える。決定部は、動画の撮影中に得られる情報に基づいて、当該動画についての第１再生フレームレートを決定する。表示部は、第１再生フレームレートで動画を再生する。【選択図】図３
2017168886.tif 000002
【特許請求の範囲】
【請求項１】
動画の撮影中に得られる情報に基づいて、当該動画についての第１再生フレームレートを決定する決定部と、
前記第１再生フレームレートで前記動画を再生する表示部と
を備える、電子機器。
【請求項２】
請求項１に記載の電子機器であって、
前記情報は、前記動画を撮影する撮影装置が当該動画を撮影するときの当該撮影装置の第１速さである、電子機器。
【請求項３】
請求項２に記載の電子機器であって、
前記決定部は、前記第１速さと、特定の第２速さとに基づいて、前記第１再生フレームレートを決定する、電子機器。
【請求項４】
請求項３に記載の電子機器であって、
前記決定部は、
前記動画の撮影時の所定期間での前記第１速さの平均値を求め、
前記平均値に対する前記第２速さの倍率を求め、
前記動画の撮影時の撮影フレームレートに対して前記倍率を掛け合わせた値を、前記動画における、前記所定期間に対応する部分の再生時の前記第１再生フレームレートとする、電子機器。
【請求項５】
請求項３及び請求項４のいずれか一つに記載の電子機器であって、
前記第２速さはユーザによって指定される、電子機器。
【請求項６】
請求項１乃至請求項５のいずれか一つに記載の電子機器であって、
前記表示部は、前記動画の撮影フレームレートと一致する第２再生フレームレートで再生される前記動画を示す第１画面と、前記第１再生フレームレートで再生される前記動画を示す第２画面とを同時に表示する、電子機器。
【請求項７】
請求項１乃至請求項５のいずれか一つに記載の電子機器であって、
前記電子機器の再生モードは、
前記表示部が、前記動画の撮影フレームレートと一致する第２再生フレームレートで前記動画を再生し、前記動画を前記第１再生フレームレートで再生しない第１再生モードと、
前記第１再生フレームレートで前記動画を再生する第２再生モードと
を含む、電子機器。
【請求項８】
請求項７に記載の電子機器であって、
前記第２再生モードで動作する前記電子機器では、前記表示部は、前記第２再生フレームレートで再生される前記動画を示す第１画面と、前記第１再生フレームレートで再生される前記動画を示す第２画面とを同時に表示する、電子機器。
【請求項９】
請求項１乃至請求項８のいずれか一つに記載の電子機器であって、
前記動画を撮影するカメラをさらに備え、
前記撮影装置は前記電子機器である、電子機器。
【請求項１０】
請求項９に記載の電子機器であって、
前記情報を取得する取得部をさらに備える、電子機器。
【請求項１１】
電子機器が備える、当該電子機器の動作を制御する制御装置であって、
動画の撮影中に得られる情報に基づいて、当該動画についての再生フレームレートを決定する決定部と、
前記再生フレームレートに基づいて前記動画を前記電子機器に再生させる再生制御部と
を備える、制御装置。
【請求項１２】
電子機器に、
動画の撮影中に得られる情報に基づいて、当該動画についての再生フレームレートを決定する工程と、
前記再生フレームレートに基づいて前記動画を再生する工程と
を実行させるための制御プログラム。
【請求項１３】
電子機器が動画を再生する動画再生方法であって、
動画の撮影中に得られる情報に基づいて、当該動画についての再生フレームレートを決定する工程と、
前記再生フレームレートに基づいて前記動画を再生する工程と
を備える、動画再生方法。
【発明の詳細な説明】
【技術分野】
【０００１】
本開示は、電子機器に関する。
【背景技術】
【０００２】
特許文献１にも記載されているように、従来から電子機器に関して様々な技術が提案されている。
【先行技術文献】
【特許文献】
【０００３】
【特許文献１】特開２００８−９８７２６号公報
【発明の概要】
【発明が解決しようとする課題】
【０００４】
電子機器については、その利便性の向上が望まれる。
【０００５】
そこで、本発明は上述の点に鑑みて成されたものであり、電子機器の利便性を向上させることが可能を提供することを目的とする。
【課題を解決するための手段】
【０００６】
電子機器、制御装置、制御プログラム及び動画再生方法が開示される。一の実施の形態では、電子機器は決定部及び表示部を備える。決定部は、動画の撮影中に得られる情報に基づいて、当該動画についての第１再生フレームレートを決定する。表示部は、第１再生フレームレートで動画を再生する。
【０００７】
また、一の実施の形態では、制御装置は、電子機器が備える、当該電子機器の動作を制御する制御装置である。制御装置は決定部及び再生制御部を備える。決定部は、動画の撮影中に得られる情報に基づいて、当該動画についての再生フレームレートを決定する。再生制御部は、再生フレームレートに基づいて動画を電子機器に再生させる。
【０００８】
また、一の実施の形態では、制御プログラムは、電子機器に、動画の撮影中に得られる情報に基づいて、当該動画についての再生フレームレートを決定する工程と、再生フレームレートに基づいて動画を再生する工程とを実行させるためのものである。
【０００９】
また、一の実施の形態では、動画再生方法は、電子機器が動画を再生する動画再生方法である。動画再生方法は、動画の撮影中に得られる情報に基づいて、当該動画についての再生フレームレートを決定する工程と、再生フレームレートに基づいて動画を再生する工程とを備える。
【発明の効果】
【００１０】
電子機器の利便性が向上する。
【図面の簡単な説明】
【００１１】
【図１】電子機器の外観の一例を示す斜視図である。
【図２】電子機器の外観の一例を示す背面図である。
【図３】電子機器の構成の一例を示す図である。
【図４】電子機器の構成の一例を示す図である。
【図５】電子機器の使用態様の一例を示す図である。
【図６】電子機器の動作の一例を示すフローチャートである。
【図７】画面の一例を示す図である。
【図８】電子機器が記憶する情報の一例を示す図である。
【図９】電子機器の動作の一例を示すフローチャートである。
【図１０】画面の一例を示す図である。
【図１１】画面の一例を示す図である。
【図１２】電子機器の動作の一例を示すフローチャートである。
【図１３】画面の一例を示す図である。
【図１４】画面の一例を示す図である。
【図１５】画面の一例を示す図である。
【図１６】画面の一例を示す図である。
【図１７】画面の一例を示す図である。
【図１８】電子機器の動作を説明するための図である。
【図１９】電子機器の動作の一例を示すフローチャートである。
【図２０】画面の一例を示す図である。
【図２１】画面の一例を示す図である。
【図２２】画面の一例を示す図である。
【図２３】画面の一例を示す図である。
【図２４】画面の一例を示す図である。
【図２５】画面の一例を示す図である。
【図２６】画面の一例を示す図である。
【発明を実施するための形態】
【００１２】
＜電子機器の外観＞
図１及び２はそれぞれ電子機器１の外観の一例を示す斜視図及び背面図である。電子機器１は、例えば、スマートフォン等の携帯電話機である。
【００１３】
図１及び２に示されるように、電子機器１は、平面視で略長方形の板状の機器ケース１０を備えている。機器ケース１０は電子機器１の外装を構成している。電子機器１の前面１ａ、つまり機器ケース１０の前面には、文字、記号、図形等の各種情報が表示される表示領域１１が設けられている。表示領域１１の背面側には後述するタッチパネル１４０が設けられている。これにより、ユーザは、表示領域１１を指等で操作することによって、電子機器１に対して各種情報を入力することができる。なお、ユーザは、指以外の操作子、例えば、スタイラスペンなどのタッチパネル用ペンで表示領域１１を操作することによっても、電子機器１に対して各種情報を入力することができる。
【００１４】
電子機器１の前面１ａ（機器ケース１０の前面）の上側端部にはレシーバ穴１２が設けられている。電子機器１の前面１ａの下側端部にはスピーカ穴１３が設けられている。電子機器１の下側の側面１ｃにはマイク穴１４が設けられている。
【００１５】
電子機器１の前面１ａの上側端部からは、後述する第１カメラ１９０が有するレンズ１９１が視認可能となっている。図２に示されるように、電子機器１の背面１ｂの上側端部からは、後述する第２カメラ２００が有するレンズ２０１が視認可能となっている。
【００１６】
電子機器１の前面１ａの下側端部には、複数の操作ボタン１５，１６，１７から成る操作ボタン群１８が設けられている。操作ボタン１５，１６，１７のそれぞれはハードウェアボタンである。具体的には、操作ボタン１５，１６，１７のそれぞれは押しボタンである。なお、操作ボタン１５，１６，１７は、表示領域１１に表示されるソウフトウェアボタンであっても良い。
【００１７】
操作ボタン１５は、例えばバックボタンである。バックボタンは、表示領域１１の表示を一つ前の表示に切り替えるための操作ボタンである。ユーザが操作ボタン１５を操作することよって、表示領域１１の表示が一つ前の表示に切り替わる。
【００１８】
操作ボタン１６は、例えばホームボタンである。ホームボタンは、表示領域１１にホーム画面を表示させるための操作ボタンである。ユーザが操作ボタン１６を操作することよって、表示領域１１にホーム画面が表示される。
【００１９】
操作ボタン１７は、例えば履歴ボタンである。履歴ボタンは、電子機器１で実行されたアプリケーションの履歴を表示領域１１に表示させるための操作ボタンである。ユーザが操作ボタン１７を操作することよって、表示領域１１には、電子機器１で実行されたアプリケーションの履歴が表示される。
【００２０】
＜電子機器の電気的構成＞
図３は電子機器１の電気的構成の一例を主に示すブロック図である。図３に示されるように、電子機器１は、制御部１００、無線通信部１１０、表示部１２０、タッチパネル１４０、操作ボタン群１８及びリアルタイムクロック（以後、「ＲＴＣ］と呼ぶ）１５０を備えている。さらに電子機器１は、レシーバ１６０、スピーカ１７０、マイク１８０、第１カメラ１９０及び第２カメラ２００を備えている。さらに電子機器１は、加速度センサ２１０、地磁気センサ２２０、圧力センサ２３０及び電池２４０を備えている。電子機器１が備えるこれらの構成要素は、機器ケース１０内に収められている。
【００２１】
制御部１００は、一種の演算処理装置であって、一種の電気回路でもある。制御部１００は、例えば、ＣＰＵ（Central Processing Unit）１０１、ＤＳＰ（Digital Signal Processor）１０２及び記憶部１０３等を備えている。制御部１００は、電子機器１の他の構成要素を制御することによって、電子機器１の動作を統括的に管理することが可能である。制御部１００は、例えば、ＳｏＣ（System-on-a-Chip）、ＭＣＵ（Micro Control Unit）及びＦＰＧＡ（Field-Programmable Gate Array）等の副処理装置（co-processor）をさらに含んでも良い。この場合には、制御部１００は、ＣＰＵ１０１及び副処理装置を互いに協働させて各種の制御を行って良いし、両者を切り替えながら用いて各種の制御を行って良い。制御部１００は制御装置１００とも言える。
【００２２】
記憶部１０３は、ＲＡＭ（Random Access Memory）などの揮発性メモリ１０３ａと、フラッシュＲＯＭ（Read Only Memory）などの不揮発性メモリ１０３ｂとを備えている。揮発性メモリ１０３ａ及び不揮発性メモリ１０３ｂのそれぞれは、ＣＰＵ１０１及びＤＳＰ１０２が読み取り可能な非一時的な記録媒体である。不揮発性メモリ１０３ｂには、電子機器１を制御するための複数の制御プログラム１０３ｂｂが記憶されている。制御部１００の各種機能は、ＣＰＵ１０１及びＤＳＰ１０２が記憶部１０３内の各種制御プログラム１０３ｂｂを実行することによって実現される。
【００２３】
なお、制御部１００の全ての機能あるいは制御部１００の一部の機能は、その機能の実現にソフトウェアが不要なハードウェア回路によって実現されても良い。また、記憶部１０３は、ＲＯＭ及びＲＡＭ以外の、コンピュータが読み取り可能な非一時的な記録媒体を備えても良い。記憶部１０３は、例えば、小型のハードディスクドライブ及びＳＳＤ（Solid State Drive）などを備えても良い。
【００２４】
記憶部１０３内の複数の制御プログラム１０３ｂｂには、様々なアプリケーション（アプリケーションプログラム）が含まれている。記憶部１０３には、例えば、音声通話及びビデオ通話を行うための通話アプリケーション、ウェブサイトを表示するためのブラウザ、電子メールの作成、閲覧及び送受信を行うためのメールアプリケーションが記憶されている。また記憶部１０３には、第１カメラ１９０及び第２カメラ２００を利用して被写体を撮影するためのカメラアプリケーション、動画を再生するための動画再生アプリケーション、地図を表示するための地図表示アプリケーション、音楽データの再生制御を行うための音楽再生制御アプリケーションなどが記憶されている。記憶部１０３内の少なくとも一つのアプリケーションは、記憶部１０３内にあらかじめ記憶されているものであって良い。また、記憶部１０３内の少なくとも一つのアプリケーションは、電子機器１が他の装置からダウンロードして記憶部１０３内に記憶したものであって良い。
【００２５】
無線通信部１１０は、アンテナ１１１を有している。無線通信部１１０は、アンテナ１１１を用いて、制御部１００による制御よって無線通信を行うことが可能である。無線通信部１１０は、電子機器１とは別の携帯電話機からの信号、あるいはインターネットに接続されたウェブサーバ等の通信装置からの信号を、基地局等を介してアンテナ１１１で受信することが可能である。無線通信部１１０は、受信信号に対して増幅処理及びダウンコンバートを行って制御部１００に出力することが可能である。制御部１００は、入力される受信信号に対して復調処理等を行って、当該受信信号に含まれるユーザデータ及び制御データ等を取得することが可能である。また無線通信部１１０は、制御部１００で生成された、ユーザデータ及び制御データ等を含む送信信号に対してアップコンバート及び増幅処理を行って、処理後の送信信号をアンテナ１１１から無線送信することが可能である。アンテナ１１１からの送信信号は、基地局等を通じて、電子機器１とは別の携帯電話機、あるいはインターネット等に接続された通信装置で受信される。
【００２６】
表示部１２０は、電子機器１の前面１ａに設けられた表示領域１１と、表示パネル１３０とを備えている。表示部１２０は、表示領域１１に各種情報を表示することが可能である。表示パネル１３０は、例えば、液晶表示パネルあるいは有機ＥＬパネルである。表示パネル１３０は、制御部１００によって制御されることによって、文字、記号及び図形などの各種情報を表示することが可能である。表示パネル１３０は、機器ケース１０内において、表示領域１１と対向して配置されている。表示パネル１３０に表示される情報は表示領域１１に表示される。
【００２７】
タッチパネル１４０は、表示領域１１に対する指等の操作子による操作を検出することが可能である。タッチパネル１４０は、例えば、投影型静電容量方式のタッチパネルであって、表示領域１１の裏側に配置されている。ユーザが指等の操作子によって表示領域１１に対して操作を行ったとき、その操作に応じた電気信号がタッチパネル１４０から制御部１００に入力される。制御部１００は、タッチパネル１４０からの電気信号に基づいて、表示領域１１に対して行われた操作の内容を特定して、その内容に応じた処理を行うことが可能である。
【００２８】
操作ボタン群１８の操作ボタン１５，１６，１７のそれぞれは、ユーザによって操作されると、操作されたことを示す操作信号を制御部１００に出力することが可能である。これにより、制御部１００は、操作ボタン１５，１６，１７のそれぞれについて、当該操作ボタンが操作されたか否かを判断することができる。操作信号が入力された制御部１００が他の構成要素を制御することによって、電子機器１では、操作された操作ボタンに割り当てられている上述の機能が実行される。
【００２９】
ＲＴＣ１５０は、現在の日時を計測して制御部１００に出力することが可能である。ＲＴＣ１５０は、現在の日時を取得する日時取得部として機能する。
【００３０】
マイク１８０は、電子機器１の外部から入力される音を電気的な音信号に変換して制御部１００に出力することが可能である。電子機器１の外部からの音は、マイク穴１４から電子機器１の内部に取り込まれてマイク１８０に入力される。
【００３１】
スピーカ１７０は、例えばダイナミックスピーカである。スピーカ１７０は、制御部１００からの電気的な音信号を音に変換して出力することが可能である。スピーカ１７０から出力される音はスピーカ穴１３から外部に出力される。スピーカ穴１３から出力される音は、電子機器１から離れた場所でも聞こえるようになっている。
【００３２】
レシーバ１６０は受話音を出力することが可能である。レシーバ１６０は例えばダイナミックスピーカで構成されている。レシーバ１６０は、制御部１００からの電気的な音信号を音に変換して出力する。レシーバ１６０から出力される音はレシーバ穴１２から外部に出力される。レシーバ穴１２から出力される音の音量は、スピーカ穴１３から出力される音の音量よりも小さくなっている。レシーバ穴１２から出力される音は、当該レシーバ穴１２に耳を近づけた場合に聞こえるようになっている。なお、レシーバ１６０の代わりに、機器ケース１０の前面部分を振動させる、圧電振動素子等の振動素子を設けて、当該前面部分から音をユーザに伝えても良い。
【００３３】
第１カメラ１９０は、レンズ１９１及び撮像素子などを備えている。第２カメラ２００は、レンズ２０１及び撮像素子などを備えている。第１カメラ１９０及び第２カメラ２００のそれぞれは、制御部１００による制御に基づいて静止画あるいは動画を撮影して制御部１００に出力することが可能である。
【００３４】
第１カメラ１９０のレンズ１９１は、電子機器１の前面１ａから視認可能となっている。したがって、第１カメラ１９０は、電子機器１の前面１ａ側（表示領域１１側）に存在する被写体を撮影することが可能である。第２カメラ２００のレンズ２０１は、電子機器１の背面１ｂから視認可能となっている。したがって、第２カメラ２００は、電子機器１の背面１ｂ側に存在する被写体を撮影することが可能である。以後、第１カメラ１９０を「インカメラ１９０」と呼び、第２カメラ２００を「アウトカメラ２００」と呼ぶことがある。また、インカメラ１９０及びアウトカメラ２００を特に区別する必要がないときには、それぞれを単に「カメラ」と呼ぶことがある。
【００３５】
加速度センサ２１０は、電子機器１の加速度を検出し、検出した加速度に応じた検出信号を制御部１００に出力することが可能である。制御部１００は、加速度センサ２１０を動作させたり、加速度センサ２１０の動作を停止したりすることが可能である。
【００３６】
地磁気センサ２２０は、地磁気を検出し、検出した地磁気に応じた検出信号を制御部１００に出力することが可能である。制御部１００は、地磁気センサ２２０を動作させたり、地磁気センサ２２０の動作を停止したりすることが可能である。
【００３７】
圧力センサ２３０は、気体及び液体の圧力を検出することが可能である。圧力センサ２３０は、電子機器１にかかる圧力を検出し、検出した圧力に応じた検出信号を出力することが可能である。制御部１００は、圧力センサ２３０を動作させたり、圧力センサ２３０の動作を停止したりすることが可能である。
【００３８】
電池２４０は電子機器１の電源を出力することが可能である。電池２４０は例えば充電式の電池である。電池２４０から出力される電源は、電子機器１が備える制御部１００及び無線通信部１１０などの各種構成に対して供給される。
【００３９】
＜制御部内の機能ブロック＞
図４は、ＣＰＵ１０１及びＤＳＰ１０２が記憶部１０３内の制御プログラム１０３ｂｂを実行することによって形成される機能ブロックの一例を示す図である。図４に示されるように、制御部１００は、機能ブロックとして、速さ算出部３００、気圧算出部３１０、標高算出部３２０、方角特定部３３０及び再生制御部３４０を備えている。なお、これらの機能ブロックのうちの一部あるいは全部が、その機能の実行にソフトウェアが不要なハードウェア回路で実現されても良い。
【００４０】
速さ算出部３００は、加速度センサ２１０から出力される検出信号に基づいて、電子機器１の速さを算出することが可能である。電子機器１では、加速度センサ２１０及び速さ算出部３００によって、電子機器１の速さを取得する速さ取得部３５０が構成される。以後、特に説明が無い限り「速さ」と言えば電子機器１の速さを意味する。
【００４１】
気圧算出部３１０は、圧力センサ２３０から出力される検出信号に基づいて、電子機器１の周囲の気圧を算出することが可能である。標高算出部３２０は、気圧算出部３１０で求められた気圧に基づいて、電子機器１が存在する場所の標高を算出することが可能である。電子機器１では、圧力センサ２３０、気圧算出部３１０及び標高算出部３２０によって、電子機器１が存在する場所の標高を取得する標高取得部３６０が構成される。以後、特に説明が無い限り「標高」と言えば電子機器１が存在する場所の標高を意味する。
【００４２】
方角特定部３３０は、地磁気センサ２２０から出力される検出信号に基づいて、インカメラ１９０のレンズ１９１が向いている方角を特定することが可能である。また、方角特定部３３０は、地磁気センサ２２０から出力される検出信号に基づいて、アウトカメラ２００のレンズ２０１が向いている方角を特定することが可能である。電子機器１では、地磁気センサ２２０及び方角特定部３３０によって、インカメラ１９０及びアウトカメラ２００のレンズが向いている方角を取得する方角取得部３７０が構成される。
【００４３】
再生制御部３４０は、表示部１２０に動画を再生させることが可能である。再生制御部３４０は、表示部１２０での動画の再生を制御することが可能である。
【００４４】
＜動画撮影について＞
図５は、電子機器１が動画を撮影する際の当該電子機器１の使用態様の一例を示す図である。図５に示される例では、電子機器１は、アウトカメラ２００を使用して動画を撮影する。電子機器１は、ユーザ５０が乗る自転車６０のハンドル６１に対して固定部材７０によって固定されている。電子機器１は、アウトカメラ２００のレンズ２０１が、自転車６０の進行方向を向くように、ハンドル６１に固定されている。これにより、アウトカメラ２００は、自転車６０の進行方向に存在する被写体を動画撮影することが可能である。
【００４５】
なお電子機器１は、インカメラ１９０で動画を撮影しても良い。また、電子機器１が動画を撮影する際の当該電子機器１の使用態様は図５の例に限られない。例えば、ユーザは電子機器１を手に持った状態で電子機器１に動画を撮影させても良い。また、電子機器１に対してネックストラップを取り付け、ユーザは、当該ネックストラップを首から下げた状態で電子機器１に動画を撮影させても良い。また、電子機器１が自動車の一部に対して固定部材によって固定されても良い。この場合には、電子機器１を例えばドライブレコーダとして使用することができる。
【００４６】
図６は動画撮影時の電子機器１の動作の一例を示すフローチャートである。電子機器１は、例えば、動画撮影中に各種情報を取得し、取得した情報を撮影中の動画とともに表示する。この情報を「付帯情報」と呼ぶ。付帯情報には、例えば、速さ、時刻、標高、動画撮影で使用しているカメラのレンズが向いている方角などが含まれる。以後、動画撮影で使用しているカメラのレンズが向いている方角を単に「カメラレンズの向き」と呼ぶことがある。また動画撮影で使用するカメラを「使用カメラ」と呼ぶことがある。
【００４７】
図６に示されるように、ステップｓ１において、制御部１００は、タッチパネル１４０が、カメラアプリケーションの実行を指示する実行指示操作を受け付けると、ステップｓ２において、記憶部１０３内のカメラアプリケーションを読み出して実行する。カメラアプリケーションが実行されると、ステップｓ３において、表示部１２０は、制御部１００による制御によって、使用カメラで撮影されるスルー画像を表示する。ユーザは、表示領域１１を操作することによって、使用カメラを、インカメラ１９０にするのか、アウトカメラ２００にするのかを電子機器１に対して指示することができる。スルー画像は、使用カメラが撮影する撮影範囲内の被写体を、ユーザがリアルタイムに確認するための動画である。スルー画像は、ライブビュー画像あるいはプレビュー画像とも呼ばれる。使用カメラで撮影されるスルー画像は、揮発性メモリ１０３ａに一時的に記憶される。制御部１００は、揮発性メモリ１０３ａからスルー画像を読み出して表示部１２０に表示させる。
【００４８】
次にステップｓ４において、タッチパネル１４０が、動画撮影の開始を指示する開始指示操作を受け付けると、ステップｓ５において、制御部１００は、使用カメラに、動画の撮影を開始させる。使用カメラで撮影される動画は不揮発性メモリ１０３ｂに保存される。以後、特に断らない限り、使用カメラで撮影される動画とは、スルー画像ではなく、不揮発性メモリ１０３ｂに保存される動画を意味する。
【００４９】
使用カメラで動画の撮影が開始すると、ステップｓ６において、制御部１００は、使用カメラで撮影中の動画及び付帯情報を表示部１２０に表示させる。使用カメラで動画が撮影されている間、使用カメラで撮影される動画と、当該動画の撮影と並行して取得される付帯情報とが、リアルタイムに表示部１２０で表示される。
【００５０】
ここで、タッチパネル１４０が、動画撮影の開始を指示する開始指示操作を受け付けると、制御部１００は、付帯情報の取得に必要であって、動作が停止している構成要素を起動させる。具体的には、制御部１００は、動作が停止している加速度センサ２１０、地磁気センサ２２０及び圧力センサ２３０を起動する。これにより、加速度センサ２１０を有する速さ取得部３５０は速さの取得を開始する。また、圧力センサ２３０を有する標高取得部３６０は標高の取得を開始する。また、地磁気センサ２２０を有する方角取得部３７０はカメラレンズの向きの取得を開始する。なお、電子機器１の動作中においては、ＲＴＣ１５０は例えば常に動作していることから、タッチパネル１４０が、動画撮影の開始を指示する開始指示操作を受け付けた時点においてＲＴＣ１５０は動作している。
【００５１】
制御部１００は、使用カメラで動画の撮影が開始すると、使用カメラで撮影される動画と、当該動画の撮影と並行して取得される付帯情報、本例では、速さ、時刻、標高及びカメラレンズの向きとをリアルタイムに表示部１２０に表示させる。
【００５２】
図７は、動画撮影中に表示部１２０に表示される撮影画面４００の一例を示す図である。図７には、上述の図５の例のように、ユーザが自転車に乗りながら電子機器１に動画を撮影させる場合の撮影画面４００が示されている。図７の例では、自転車に乗るユーザの進行方向と、カメラレンズの向きとが一致している。
【００５３】
図７に示されるように、撮影画面４００は部分画面４０１，４０２を含む。部分画面４０２は部分画面４０１の下側に位置する。部分画面４０１には、使用カメラで撮影中の動画４１０が示される。部分画面４０２には、動画４１０の撮影を終了するための撮影終了ボタン４２０が示される。
【００５４】
また部分画面４０１には、付帯情報を含む付帯情報画面４３０が示される。付帯情報画面４３０は、例えば、動画４１０に重ねられて示される。付帯情報画面４３０には、ＲＴＣ１５０で取得される現在時刻を示すアナログ時計４４０が含まれている。また付帯情報画面４３０には、速さ取得部３５０で取得される現在の速さを数値で示す速さ情報４５０と、当該速さを示すアナログ式のスピードメータ４６０とが含まれる。スピードメータ４６０に含まれる針４６１が現在の速さを示す。また付帯情報画面４３０には、標高取得部３６０で取得される現在の標高を示す標高情報４７０と、方角取得部３７０で取得される現在のカメラレンズの向きを示す方角情報４８０とが含まれている。
【００５５】
標高情報４７０には、複数の目盛４７２が付された、標高を示す目盛軸４７１が含まれている。各目盛４７２には標高の値４７３が付されている。そして、標高情報４７０には、目盛軸４７１のある箇所を指し示す三角形のマーク４７４が含まれている。現在の標高は、目盛軸４７１における、マーク４７４が指し示す箇所の値となる。本例では、マーク４７４の位置は固定であり、標高取得部３６０で取得される標高に応じて目盛４７２の値４７３が変化する。
【００５６】
方角情報４８０には、複数の目盛４８２が付された、方角を示す目盛軸４８１が含まれている。複数の目盛４８２の一部には、方角を示す文字４８３が付されている。図７に示される「Ｎ」という文字４８３は「北」を意味し、「ＮＷ］という文字４８３は「北西」を意味する。そして、方角情報４８０には、目盛軸４８１のある箇所を指し示す三角形のマーク４８４が含まれている。現在のカメラレンズの向きは、目盛軸４８１における、マーク４８４が指し示す箇所の方角となる。本例では、マーク４８４の位置は固定であり、方角取得部３７０で取得されるカメラレンズの向きに応じて、方角を示す文字４８３が変化する。図７の例では、ユーザが進行する方角と、カメラレンズの向きとが一致することから、方角情報４８０は、ユーザが進行する方角を示すと言える。図７の例では、カメラレンズの向きは北であって、ユーザは北に向かって移動している。
【００５７】
撮影中の動画４１０の各フレーム画像について、当該フレーム画像の撮影時に電子機器１で取得される付帯情報と、当該フレーム画像とが、撮影画面４００に同時期に示される。具体的には、撮影画面４００では、フレーム画像の撮影時にＲＴＣ１５０、速さ取得部３５０、標高取得部３６０及び方角取得部３７０でそれぞれ取得される時刻、速さ、標高及びカメラレンズの向きと、当該フレーム画像とが同時期に示される。
【００５８】
このように、撮影画面４００には、撮影中の動画４１０だけではなく、動画４１０の撮影中に取得される付帯情報も示される。そのため、ユーザは、例えば、動画４１０の撮影中にその撮影状況を確認することができる。
【００５９】
制御部１００は、使用カメラで動画の撮影が開始すると、使用カメラで撮影される動画の各フレーム画像と、当該フレーム画像の撮影時に取得される付帯情報とを互いに対応付けて不揮発性メモリ１０３ｂに記憶する。図８は、フレーム画像と付帯情報とが互いに対応付けられ不揮発性メモリ１０３ｂに記憶されている様子の一例を示す図である。制御部１００は、動画の撮影中に、使用カメラでフレーム画像が撮影されるたびに、当該フレーム画像の撮影時に速さ取得部３５０、ＲＴＣ１５０、標高取得部３６０及び方角取得部３７０でそれぞれ取得される速さ、時刻、標高及びカメラレンズの向きと、当該フレーム画像とを対応付けて不揮発性メモリ１０３ｂに記憶する。
【００６０】
不揮発性メモリ１０３ｂにおいて、フレーム画像に対応付けられている速さは、当該フレーム画像の撮影時の電子機器１の速さであると言える。不揮発性メモリ１０３ｂにおいて、フレーム画像に対応付けられている時刻は、当該フレーム画像の撮影時刻であると言える。不揮発性メモリ１０３ｂにおいて、フレーム画像に対応付けられている標高は、当該フレーム画像の撮影時に電子機器１が存在する場所の標高であると言える。言い換えれば、フレーム画像に対応付けられている標高は、当該フレーム画像の撮影時における、当該フレーム画像の撮影場所の標高であると言える。不揮発性メモリ１０３ｂにおいて、フレーム画像に対応付けられているカメラレンズの向きは、当該フレーム画像の撮影時のカメラレンズの向きであると言える。図７の例のように、ユーザの進行方向とカメラレンズの向きが同じである場合には、フレーム画像に対応付けられているカメラレンズの向きは、当該フレーム画像の撮影時のユーザの進行方向であると言える。
【００６１】
ステップｓ６の後、ステップｓ７において、タッチパネル１４０が、動画撮影の終了を指示する終了指示操作を検出すると、ステップｓ８において、制御部１００は、使用カメラに動画の撮影を終了させる。本例では、図７に示される撮影終了ボタン４２０に対する所定の操作（例えばタップ操作）が終了指示操作となる。その後、制御部１００は、ステップｓ９において、使用カメラで撮影されるスルー画像を表示部１２０に表示させる。使用カメラでの動画の撮影が終了すると、表示部１２０には付帯情報は表示されない。つまり、表示部１２０にスルー画像が表示されるときには付帯情報は表示されない。なお、図７と同様に、表示部１２０にスルー画像が表示されるときに付帯情報が表示されても良い。
【００６２】
＜動画再生について＞
図９は動画が再生される際の電子機器１の動作を示すフローチャートである。図９に示されるように、ステップｓ１１において、タッチパネル１４０が、不揮発性メモリ１０３ｂ内に存在する、使用カメラで撮影された動画を選択する選択操作を受け付けると、制御部１００は、ステップｓ１２において、不揮発性メモリ１０３ｂ内の動画再生アプリケーションを実行する。そして、ステップｓ１３において、制御部１００の再生制御部３４０は、選択された動画を再生対象とし、例えば、再生対象の動画の最初のフレーム画像を表示部１２０に表示させる。その後、ステップｓ１４において、タッチパネル１４０が、再生対象の動画の再生を指示する再生指示操作を受け付けると、再生制御部３４０は、ステップｓ１５において、表示部１２０に、再生対象の動画を再生させる。
【００６３】
図１０は、動画再生アプリケーションの実行中に、表示部１２０が再生制御部３４０による制御によって表示する再生画面５００の一例を示す図である。図１０では、動画再生中の再生画面５００が示されている。動画再生中の再生画面５００には、再生中の動画とともに、不揮発性メモリ１０３ｂ内において当該動画に対応付けられている付帯情報が示される。言い換えれば、動画再生中の再生画面５００には、再生中の動画とともに、当該動画の撮影中に取得された付帯情報が示される。
【００６４】
図１０に示されるように、再生画面５００は、部分画面５０１，５０２を含んでいる。部分画面５０２は部分画面５０１の下側に位置する。部分画面５０１には、再生中の動画５１０が示される。部分画面５０１には、再生中の動画５１０の各フレーム画像５１１が順次示される。さらに、部分画面５０２には、上述の付帯情報画面４３０と同様の付帯情報画面５３０も示される。付帯情報画面５３０は、例えば、動画５１０に重ねられて示される。
【００６５】
付帯情報画面５３０には、不揮発性メモリ１０３ｂにおいてフレーム画像５１１に対応付けられている時刻を示すアナログ時計５４０が含まれている。部分画面５０１にあるフレーム画像５１１が示される場合に、アナログ時計５４０は、不揮発性メモリ１０３ｂにおいて当該フレーム画像５１１に対応付けられている時刻を示す。これにより、アナログ時計５４０は、再生画面５００において現在再生されているフレーム画像５１１の撮影時刻を示す。
【００６６】
付帯情報画面５３０には、不揮発性メモリ１０３ｂにおいてフレーム画像５１１に対応付けられている速さを数値で示す速さ情報５５０と、当該速さを示すアナログ式のスピードメータ５６０とが含まれている。部分画面５０１にあるフレーム画像５１１が示される場合に、速さ情報５５０及びスピードメータ５６０は、不揮発性メモリ１０３ｂにおいて当該フレーム画像５１１に対応付けられている速さを示す。これにより、速さ情報５５０と、スピードメータ５６０に含まれる針５６１は、再生画面５００において現在再生されているフレーム画像５１１の撮影時の電子機器１の速さを示す。
【００６７】
付帯情報画面５３０には、不揮発性メモリ１０３ｂにおいてフレーム画像５１１に対応付けられている標高を示す標高情報５７０が含まれる。部分画面５０１にあるフレーム画像５１１が示される場合に、標高情報５７０は、不揮発性メモリ１０３ｂにおいて当該フレーム画像５１１に対応付けられている標高を示す。これにより、標高情報５７０は、再生画面５００において現在再生されているフレーム画像５１１の撮影時における、当該フレーム画像の撮影場所の標高を示す。
【００６８】
標高情報５７０には、複数の目盛５７２が付された、標高を示す目盛軸５７１が含まれている。各目盛５７２には標高の値５７３が付されている。そして、標高情報５７０には、目盛軸５７１のある箇所を指し示す三角形のマーク５７４が含まれている。現在再生されているフレーム画像５１１の撮影時の標高は、目盛軸５７１における、マーク５７４が指し示す箇所の値となる。本例では、マーク５７４の位置は固定であり、フレーム画像５１１に対応付けられている標高に応じて、目盛５７２の値５７３が変化する。
【００６９】
付帯情報画面５３０には、不揮発性メモリ１０３ｂにおいてフレーム画像５１１に対応付けられているカメラレンズの向きを示す方角情報５８０が含まれる。部分画面５０１にあるフレーム画像５１１が示される場合に、方角情報５８０は、不揮発性メモリ１０３ｂにおいて当該フレーム画像５１１に対応付けられているカメラレンズの向きを示す。これにより、方角情報５８０は、再生画面５００において現在再生されているフレーム画像５１１の撮影時のカメラレンズの向きを示す。動画５１０の撮影時においてユーザの進行方向とカメラレンズの向きとが一致している場合には、方角情報５８０は、再生画面５００において現在再生されているフレーム画像５１１の撮影時のユーザの進行方向を示す。
【００７０】
方角情報５８０には、複数の目盛５８２が付された、方角を示す目盛軸５８１が含まれている。複数の目盛５８２の一部には、方角を示す文字５８３が付されている。図１０に示される「Ｎ」という文字５８３は「北」を意味し、「ＮＷ］という文字５８３は「北西」を意味する。そして、方角情報５８０には、目盛軸５８１のある箇所を指し示す三角形のマーク５８４が含まれている。現在再生されているフレーム画像５１１の撮影時のカメラレンズの向きは、目盛軸５８１における、マーク５８４が指し示す箇所の方角となる。本例では、マーク５８４の位置は固定であり、フレーム画像５１１に対応付けられているカメラレンズの向きに応じて、方角を示す文字５８３が変化する。図１０の例では、現在再生されているフレーム画像５１１の撮影時のカメラレンズの向きは北であって、現在再生されているフレーム画像５１１の撮影時にユーザは北に向かって移動している。
【００７１】
動画再生中の再生画面５００の部分画面５０２には、一時停止ボタン５２０、早戻しボタン５２１及び早送りボタン５２２が示される。
【００７２】
再生制御部３４０は、タッチパネル１４０が、早送りボタン５２２に対する所定の操作（例えば、所定時間以上の接触操作）を検出すると、動画５１０の再生フレームレートを大きくして、動画５１０の再生を早送りする。例えば、再生制御部３４０は、ユーザが指等の操作子で早送りボタン５２２を触っている間、表示部１２０での動画５１０の再生を早送りする。
【００７３】
再生制御部３４０は、タッチパネル１４０が、早戻しボタン５２１に対する所定の操作（例えば、所定時間以上の接触操作）を検出すると、表示部１２０での動画５１０の再生を早戻しする。例えば、再生制御部３４０は、ユーザが指等の操作子で早戻しボタン５２１を触っている間、表示部１２０での動画５１０の再生を早戻しする。
【００７４】
早送りボタン５２２及び早戻しボタン５２１が操作されていないときの動画５１０の再生、つまり通常再生の再生フレームレートは、動画５１０の撮影フレームレートと一致する。言い換えれば、通常再生の再生速度は、動画５１０の撮影速度と一致する。動画５１０の撮影フレームレートが例えば３０ｆｐｓであれば、３０ｆｐｓで動画５１０が通常再生される。なお、ここでの速度は、スカラー量であって、速さと同じ意味である。
【００７５】
一方で、動画５１０の早送り再生及び早戻し再生の再生フレームレートは、動画５１０の通常再生時の再生フレームレートのα倍（α＞１）である。言い換えれば、動画５１０の早送り再生及び早戻し再生の再生フレームレートは、動画５１０の撮影フレームレートのα倍である。αは例えば１．５に設定される。
【００７６】
再生制御部３４０は、タッチパネル１４０が、一時停止ボタン５２０に対する所定の操作（例えばタップ操作）を検出すると、表示部１２０での動画５１０の再生が停止するように表示部１２０を制御する。このとき、一時停止ボタン５２０に対する所定の操作をタッチパネル１４０が検出したときの動画５１０の再生箇所で動画５１０の再生は停止する。
【００７７】
図１１は、動画５１０の再生が停止している場合の再生画面５００の一例を示す図である。動画５１０の再生が停止している場合には、部分画面５０２には、一時停止ボタン５２０の代わりに再生ボタン５２３が示される。また部分画面５０１には、一時停止ボタン５２０に対して所定の操作が行われたときの動画５１０の再生箇所のフレーム画像５１１が示される。再生制御部３４０は、タッチパネル１４０が、再生ボタン５２３に対する所定の操作（例えばタップ操作）を検出すると、表示部１２０に、再生が停止している箇所から動画５１０を再生させる。言い換えれば、再生制御部３４０は、表示部１２０に、部分画面５０１に示されるフレーム画像５１１から動画５１０を再生させる。再生ボタン５２３に対する所定の操作が、上述の再生指示操作となる。
【００７８】
動画再生が停止している場合に、再生画面５００に含まれる早送りボタン５２２に対して、操作子による所定時間以上の接触操作が行われると、操作子が早送りボタン５２２に接触している間、動画５１０が早送り再生される。そして、早送りボタン５２２に対して操作が行われなくなると、操作が行われなくなったときの動画５１０の再生箇所で動画５１０の再生は停止する。また、動画再生が停止している場合に、再生画面５００に含まれる早戻しボタン５２１に対して、操作子による所定時間以上の接触操作が行われると、操作子が早戻しボタン５２１に接触している間、動画５１０が早戻り再生される。そして、早戻しボタン５２１に対して操作が行われなくなると、操作が行われなくなったときの動画５１０の再生箇所で動画５１０の再生は停止する。
【００７９】
このように、再生画面５００には、再生中の動画５１０だけではなく、動画５１０の撮影中に取得された付帯情報も示される。そのため、ユーザは、例えば、動画５１０の再生中に、その動画５１０の撮影状況を確認することができる。
【００８０】
＜電子機器の速さに基づく再生フレームレートの決定＞
再生制御部３４０は、表示部１２０に動画を再生させる場合に、当該動画が撮影されるときの電子機器１の速さに基づいて、当該動画についての再生フレームレート（再生速度）を決定することができる。以下にこの点について詳細に説明する。
【００８１】
電子機器１は、上記のように動画５１０が再生される基本的な再生モードとは別に、再生対象の動画が、まるで、電子機器１が特定の速さで移動しているときに電子機器１が撮影した動画であるかのように、再生対象の動画が再生される再生モードを有している。前者の再生モードを「第１再生モード」と呼び、後者の再生モードを「第２再生モード」と呼ぶ。第２再生モードでの特定の速さは、例えば、ユーザによって電子機器１に対して指定される。したがって、第２再生モードでは、電子機器１は、再生対象の動画が、まるで、ユーザが指定する速さで電子機器１が移動しているときに電子機器１が撮影した動画であるかのように、再生対象の動画を再生すると言える。言い換えれば、第２再生モードでは、電子機器１は、再生対象の動画が、まるで、電子機器１に指定される速さでユーザが移動しているときに当該ユーザが電子機器１に撮影させた動画であるかのように、再生対象の動画を再生すると言える。
【００８２】
図１２は、電子機器１の再生モードが第１再生モードから第２再生モードに切り替わる際の電子機器１の動作を示すフローチャートである。図１２に示されるように、ステップｓ２１において、第１再生モードで動作する電子機器１が表示する再生画面５００に対する所定の操作をタッチパネル１４０が検出すると、ステップｓ２２において、再生制御部３４０は、ユーザの速さ指定を受け付けるための入力画面７００を表示部１２０に表示させる。ステップｓ２１では、例えば、図１３に示されるように、ユーザが指等の操作子で再生画面５００に含まれるスピードメータ５６０に対してロングタップ操作を行うと、再生制御部３４０は表示部１２０に入力画面７００を表示させる。図１３には、ユーザが自身の指６００でスピードメータ５６０に対してロングタップ操作を行う様子が示されている。
【００８３】
図１４は入力画面７００の表示例を示す図である。図１４に示されるように、入力画面７００は、例えば、再生画面５００において付帯情報画面５３０の替りに示される。入力画面７００は、例えば、複数の速さ指定ボタン７０１〜７０４を含む。ユーザが速さ指定ボタン７０１に対して所定の操作（例えばタップ操作）を行うと、ユーザから電子機器１に対して時速２０ｋｍの速さが指定される。ユーザが速さ指定ボタン７０２に対して所定の操作（例えばタップ操作）を行うと、ユーザから電子機器１に対して時速５０ｋｍの速さが指定される。ユーザが速さ指定ボタン７０３に対して所定の操作（例えばタップ操作）を行うと、ユーザから電子機器１に対して時速８０ｋｍの速さが指定される。ユーザが速さ指定ボタン７０４に対して所定の操作（例えばタップ操作）を行うと、ユーザから電子機器１に対して時速１００ｋｍの速さが指定される。速さ指定ボタン７０１〜７０４に対する所定の操作が、電子機器１に対して特定の速さを指定する速さ指定操作となる。
【００８４】
ステップｓ２２の後、ステップｓ２３において、タッチパネル１４０が速さ指定操作を検出すると、ステップｓ２４において、電子機器１の動作モードが第１再生モードから第２再生モードに変化する。
【００８５】
第２再生モードの電子機器１では、再生制御部３４０は、タッチパネル１４０で検出された速さ指定操作で指定される特定の速さと、動画５１０の撮影時の電子機器１の速さとに基づいて、動画５１０の再生フレームレートを決定する。そして、再生制御部３４０は、決定した再生フレームレートで動画５１０を表示部１２０に再生させる。これにより、動画５１０が、まるで、電子機器１が特定の速さで移動しているときに電子機器１が撮影した動画であるかのように、動画５１０が再生される。第２再生モードでの再生フレームレートの決定方法については後で詳細に説明する。
【００８６】
図１５は、第２再生モードの電子機器１が動画再生中に表示する再生画面８００の一例を示す図である。図１５には、ユーザによって指定された特定の速さが時速８０ｋｍのときの再生画面８００が示されている。図１５に示されるように、再生画面８００は、部分画面８０１，８０２を含んでいる。部分画面８０２は部分画面８０１の下側に位置する。部分画面８０２は上述の図１０に示される部分画面５０２と同じである。
【００８７】
部分画面８０１には、再生中の動画５１０と付帯情報画面５３０とが示される。部分画面８０１では、動画５１０が、まるで、電子機器１が特定の速さで移動しているときに電子機器１が撮影した動画であるかのように、動画５１０が再生される。第２再生モードでの動画５１０の再生フレームレートは、当該動画５１０の撮影時の速さの変化に応じて変化する。
【００８８】
第２再生モードでの付帯情報画面５３０は、第１再生モードでの付帯情報画面５３０と比較して、速さ情報５５０及びスピードメータ５６０が示す値だけが異なる。第２再生モードでの付帯情報画面５３０に含まれる速さ情報５５０及びスピードメータ５６０は、ユーザによって指定された特定の速さ（本例では時速８０ｋｍ）を示す。したがって、この場合、速さ情報５５０及びスピードメータ５６０は一定値を示す。
【００８９】
図１６は、第２再生モードの電子機器１において動画５１０の再生が停止している場合の再生画面８００の一例を示す図である。動画５１０の再生が停止している場合には、部分画面８０２には、一時停止ボタン５２０の代わりに再生ボタン５２３が示される。また部分画面８０１には、一時停止ボタン５２０に対して所定の操作が行われたときの動画５１０の再生箇所のフレーム画像５１１が示される。再生制御部３４０は、タッチパネル１４０が、再生ボタン５２３に対する所定の操作（例えばタップ操作）を検出すると、表示部１２０に、再生が停止している箇所から動画５１０を再生させる。
【００９０】
なお、第２再生モードにおいて再生画面８００に含まれる早送りボタン５２２に対して操作が行われたときの電子機器１の動作は、第１再生モードと同様である。同様に、第２再生モードにおいて再生画面８００に含まれる早戻りボタン５２１に対して操作が行われたときの電子機器１の動作は、第１再生モードと同様である。
【００９１】
第２再生モードの電子機器１が再生画面８００を表示している場合に、タッチパネル１４０が再生画面８００に対する所定の操作を検出すると、電子機器１は、再生モードを、第２再生モードから第１再生モードに変化させる。例えば、図１７に示されるように、ユーザが指等の操作子で再生画面８００に含まれるスピードメータ５６０に対してロングタップ操作を行うと、電子機器１は、再生モードを、第２再生モードから第１再生モードに変化させる。図１７には、ユーザが自身の指６００でスピードメータ５６０に対してロングタップ操作をする様子が示されている。電子機器１の再生モードが第２再生モードから第１再生モードに変化すると、再生制御部３４０は、表示部１２０に再生画面５００を表示させる。
【００９２】
＜第２再生モードでの再生フレームレートの決定方法の詳細＞
次に、再生制御部３４０が第２再生モードでの再生フレームレートを決定する方法について詳細に説明する。図１８は当該方法を説明するための図である。図１８では、複数枚のフレーム画像５１１が、撮影順に、言い換えれば再生順に並べられている。
【００９３】
第２再生モードの電子機器１では、図１８に示されるように、再生制御部３４０は、撮影時刻が連続する所定枚数のフレーム画像５１１ごとに、当該所定枚数のフレーム画像５１１の再生フレームレートを決定する。以後、この連続する所定枚数のフレーム画像５１１を「単位フレーム画像群５１５」と呼ぶ。単位フレーム画像群５１５は、例えば、連続する数十枚のフレーム画像５１１で構成される。例えば、動画５１０が３０００枚のフレーム画像５１１で構成されて、単位フレーム画像群５１５が３０枚のフレーム画像５１１で構成される場合には、当該動画５１０は１００個の単位フレーム画像群５１５で構成される。
【００９４】
図１９は、再生制御部３４０が、ある単位フレーム画像群５１５の再生フレームレートを決定する際の当該再生制御部３４０の動作の一例を示すフローチャートである。図１９に示されるように、ステップｓ３１において、再生制御部３４０は、不揮発性メモリ１０３ｂにおいて、対象の単位フレーム画像群５１５を構成する複数枚のフレーム画像５１１にそれぞれ対応付けられている速さの平均値を求める。つまり、再生制御部３４０は、対象の単位フレーム画像群５１５を構成する複数枚のフレーム画像５１１の撮影時の電子機器１の速さの平均値を求める。次にステップｓ３２において、再生制御部３４０は、求めた平均値に対する、ユーザによって指定された特定の速さの倍率を求める。次にステップｓ３３において、再生制御部３４０は、対象の単位フレーム画像群５１５を含む動画５１０の撮影フレームレートに対して、求めた倍率を掛け合わせた値を、第２再生モードにおいて、対象の単位フレーム画像群５１５を通常再生するときの再生フレームレートとする。
【００９５】
例えば、対象の単位フレーム画像群５１５を構成する複数枚のフレーム画像５１１にそれぞれ対応付けられている速さの平均値が時速２０ｋｍであるとする。また特定の速さが時速８０ｋｍであるとする。また、対象の単位フレーム画像群５１５を含む動画５１０の撮影フレームレートが３０ｆｐｓであるとする。この場合、対象の単位フレーム画像群５１５の通常再生時の再生フレームレートは、３０×（８０／２０）＝１２０ｆｐｓとなる。
【００９６】
再生制御部３４０は、このようにして、第２再生モードでの通常再生時の再生フレームレートを、動画５１０に含まれる各単位フレーム画像群５１５について決定する。そして、再生制御部３４０は、第２再生モードにおいて、単位フレーム画像群５１５を通常再生する場合には、当該単位フレーム画像群５１５に対応する再生フレームレートで当該単位フレーム画像群５１５を再生する。これにより、第２再生モードの通常再生では、動画５１０が、まるで、電子機器１が特定の速さで移動しているときに電子機器１が撮影した動画であるかのように、動画５１０が再生される。動画５１０の撮影時の電子機器１の速さが変化する場合には、第２再生モードでの再生フレームレートは一定ではなく変化する。
【００９７】
なお、単位フレーム画像群５１５を構成する複数枚のフレーム画像５１１は、所定期間において撮影された複数枚のフレーム画像５１１であると言える。したがって、再生制御部３４０は、動画５１０の撮影時の所定期間での電子機器１の速さの平均値を求めると言える。そして、再生制御部３４０は、求めた平均値に対する特定の速さの倍率を、動画５１０の撮影フレームレートに掛け合わせた値を、当該動画５１０における、当該所定期間に対応する部分の再生時の再生フレームレートとすると言える。
【００９８】
第２再生モードにおいて、再生画面８００に含まれる早送りボタン５２２に対して所定の操作が行われると、再生制御部３４０は、再生対象の動画５１０における早戻り再生される部分に含まれる各単位フレーム画像群５１５の再生フレームレートを、通常再生時の再生フレームレートのα倍に設定する。また、第２再生モードにおいて、再生画面８００に含まれる早戻りボタン５２１に対して所定の操作が行われると、再生制御部３４０は、再生対象の動画５１０における早戻り再生される部分に含まれる各単位フレーム画像群５１５の再生フレームレートを、通常再生時の再生フレームレートのα倍に設定する。
【００９９】
このように、第１再生モードの電子機器１は、動画５１０の撮影フレームレートと一致する再生フレームで当該動画５１０を再生するのに対して、第２再生モードの電子機器１は、動画５１０の撮影時の電子機器１の速さに基づいて決定された再生フレームで当該動画５１０を再生する。
【０１００】
なお上記の例では、第１再生モードの電子機器１は、再生画面５００に含まれるスピードメータ５６０に対してロングタップ操作が行われると、入力画面７００を表示していたが、これに加えて、あるいはこれの替りに、再生画面５００に含まれる速さ情報５５０に対してロングタップ操作が行われると、入力画面７００を表示しても良い。
【０１０１】
また入力画面７００は、上記の図１４に示される画面以外であっても良い。図２０は入力画面７００の他の例を示す図である。図２０に示される入力画面７００はドラムロール式の入力画面である。ユーザが、指等の操作子で、入力画面７００に対して上下方向にスライド操作あるいはフリック操作を行うと、入力画面７００に含まれる指定エリア７１０に示される速さが変化する。そして、ユーザが完了ボタン７１１に対して所定の操作（例えばタップ操作）を行うと、再生制御部３４０は、指定エリア７１０に示される速さを、ユーザによって指定された特定の速さとする。そして、電子機器１の動作モードは、第１再生モードから第２再生モードに変化する。
【０１０２】
またユーザは、表示部１２０に表示されるキーボードを利用して、電子機器１に対して速さを指定しても良い。図２１はこの場合の入力画面７００の一例を示す図である。入力画面７００には数字キーボード７２１が含まれる。数字キーボード７２１には、０から９の数字にそれぞれ対応する複数の数字ボタン７２２と、削除ボタン７２３とが含まれる。ユーザが数字ボタン７２２に対して所定の操作（例えばタップ操作）を行うと、当該数字ボタン７２２に対応する数字が入力エリア７２０に示される。またユーザが削除ボタン７２３に対して所定の操作（例えばタップ操作）を行うと、入力エリア７２０に示される数字が削除される。そして、ユーザが完了ボタン７２４に対して所定の操作（例えばタップ操作）を行うと、再生制御部３４０は、入力エリア７２０に示される数字の速さを、ユーザによって指定された特定の速さとする。そして、電子機器１の動作モードは、第１再生モードから第２再生モードに変化する。
【０１０３】
また、ユーザが入力画面７００を利用して電子機器１に対して特定の速さを指定した後であっても、ユーザが新たに電子機器１に対して特定の速さを指摘できるようにしても良い。例えば、第２再生モードの電子機器１が表示する再生画面８００に含まれるスピードメータ５６０に対してユーザが所定の操作を行うことによって、ユーザが電子機器１に対して速さを指摘できるようにしても良い。例えば、図２２に示されるように、ユーザがスピードメータ５６０の周端部に対して指６００等の操作子でタップ操作を行うと、図２３に示されるように、スピードメータ５６０に含まれる針５６１が、タップ操作が行われた箇所まで回転する。図２３では回転前の針５６１が破線で示されている。再生制御部３４０は、回転後の針５６１が示す速さを、ユーザが指定する特定の速さとして、第２再生モードでの再生フレームレートを再度決定し、決定した再生フレームレートで動画５１０を表示部１２０に再生させる。この場合、速さ情報５５０は、回転後の針５６１が示す速さを示す。
【０１０４】
また例えば、ユーザが、スピードメータ５６０に含まれる針５６１を直接操作することによって、ユーザが電子機器１に対して特定の速さを指摘できるようにしても良い。例えば、図２４に示されるように、ユーザが、指６００等の操作子を針５６１に接触させた状態で、当該操作子を、スピードメータ５６０の周方向に沿って移動させると、図２５に示されるように、当該操作子の移動に追従して針５６１が回転する。図２４，２５の例では、ユーザは指６００を反時計まわりに移動させている。再生制御部３４０は、回転後の針５６１が示す速さを、ユーザが指定する特定の速さとして、第２再生モードでの再生フレームレートを再度決定し、決定した再生フレームレートで動画５１０を表示部１２０に再生させる。この場合、速さ情報５５０は、回転後の針５６１が示す速さを示す。
【０１０５】
また、ユーザが再生画面８００に含まれる速さ情報５５０に対して所定の操作を行うことによって、ユーザが電子機器１に対して特定の速さを指摘できるようにしても良い。例えば、ユーザが再生画面８００に示される速さ情報５５０に対してロングタップ操作を行うと、上述の入力画面７００と同様の入力画面が付帯情報画面５３０の替りに示される。ユーザは、入力画面７００に対する操作と同様にして、再生画面８００上の入力画面を操作することによって、電子機器１に対して特定の速さを指定することができる。再生制御部３４０は、新たに指定された特定の速さに基づいて、第２再生モードでの再生フレームレートを再度決定し、決定した再生フレームレートで動画５１０を表示部１２０に再生させる。この場合、速さ情報５５０及びスピードメータ５６０は、新たに指定された特定の速さを示す。なお、ユーザが、スピードメータ５６０に対してロングタップ操作を行う場合、入力画面７００と同様の入力画面が付帯情報画面５３０の替りに示されても良い。
【０１０６】
また、第２再生モードでの再生フレームレートが決定される際に使用される特定の速さは、ユーザによって指定されるのではなく、予め定められていても良い。この場合には、例えば、不揮発性メモリ１０３ｂに、特定の速さを示す特定速さ情報が予め記憶される。そして、第１再生モードの電子機器１は、再生画面５００に含まれるスピードメータ５６０に対してロングタップ操作が行われると、上記のような入力画面７００を表示することなく、動作モードを第２再生モードに変更する。第２再生モードの電子機器１では、再生制御部３４０は、ある単位フレーム画像群５１５の再生フレームレートを決定する場合、不揮発性メモリ１０３ｂにおいて、当該ある単位フレーム画像群５１５を構成する複数枚のフレーム画像５１１にそれぞれ対応付けられている速さの平均値を求める。また再生制御部３４０は、不揮発性メモリ１０３ｂから特定速さ情報を読み出す。そして、再生制御部３４０は、求めた平均値に対する、読み出した特定速さ情報が示す特定の速さの倍率を求める。次に再生制御部３４０は、当該ある単位フレーム画像群５１５を含む動画５１０の撮影フレームレートに対して、求めた倍率を掛け合わせた値を、第２再生モードにおいて、当該ある単位フレーム画像群５１５を通常再生するときの再生フレームレートとする。これにより、第２再生モードの電子機器１では、再生対象の動画５１０が、まるで、予め定められた特定の速さで電子機器１が移動しているときに電子機器１が撮影した動画であるかのように、再生対象の動画５１０が再生される。
【０１０７】
また、第２再生モードの電子機器１が、予め定められた特定の速さに基づいて再生フレームレートを決定した後、ユーザが新たな特定の速さを電子機器１に対して指摘できるようにしても良い。この場合には、上記のように、ユーザが、再生画面８００に含まれるスピードメータ５６０あるいは速さ情報５５０に対して所定の操作を行うことによって、ユーザが特定の速さを電子機器１に対して指摘できるようにしても良い。
【０１０８】
また、第２再生モードの電子機器１は、図２６に示されるように、再生画面８００だけではなく、第１再生モードでの再生画面５００も表示しても良い。これにより、第２再生モードの電子機器１では、再生対象の動画５１０が撮影フレームレートと一致する再生フレームレートで再生される再生画面５００と、再生対象の動画５１０が撮影時の電子機器１の速さに基づいて決定された再生フレームレートで再生される再生画面８００とが同時に表示される。
【０１０９】
また、第２再生モードの動画の再生フレームレートは、当該動画の撮影中に得られる速さではなく、当該動画の撮影中に得られる他の情報に基づいて決定されても良い。例えば、第２再生フレームレートの再生フレームレートは、付帯情報に含まれる時刻、標高あるいはカメラレンズの向きに基づいて決定されても良い。
【０１１０】
以上のように、第２再生モードの電子機器１では、動画５１０の再生フレームレートが、当該動画５１０の撮影中に得られる情報に基づいて決定される。したがって、動画５１０が、まるで、その撮影時の電子機器１の実際の速さとは異なる速さで電子機器１が移動するときに撮影された動画であるかのように、当該動画５１０を再生することができる。よって、電子機器１の利便性が向上する。
【０１１１】
また上記のように、動画５１０の再生フレームレートが、当該動画５１０が撮影されるときの電子機器１の速さと、特定の速さとに基づいて決定される場合には、電子機器１は、動画５１０が、まるで、特定の速さで電子機器１が移動するときに撮影された動画であるかのように、当該動画５１０を再生することができる。
【０１１２】
また上記のように、第２再生モードの電子機器１が再生画面８００と再生画面５００とを同時に表示する場合には、ユーザは、撮影時の電子機器１の速さに基づいて決定された再生フレームレートで再生される動画５１０と、撮影フレームレートと一致する再生フレームレートで再生される動画５１０とを同時に確認することができる。よって、電子機器１の利便性がさらに向上する。
【０１１３】
なお付帯情報には、速さ、時刻、標高及びカメラレンズの向きが含まれなくても良い。また、付帯情報には、速さ、時刻、標高及びカメラレンズの向き以外の情報が含まれても良い。例えば、電子機器１がＧＰＳ受信機が備える場合には、当該ＧＰＳ受信機で取得される電子機器１の現在位置が付帯情報に含まれても良い。また、電子機器１が温度センサを備える場合には、温度センサで検出される温度が付帯情報に含まれても良い。また、付帯情報には、気圧算出部３１０が算出する気圧が含まれても良い。
【０１１４】
また上記の例では、電子機器１は自ら撮影した動画を再生していたが、電子機器１とは別の撮影装置が撮影する動画を電子機器１が再生しても良い。また、電子機器１は、自ら付帯情報を取得していたが、電子機器１とは別の装置が付帯情報を取得しても良い。
【０１１５】
また上記の例では、電子機器１は、スマートフォン等の携帯電話機であったが、他の種類の電子機器であっても良い。電子機器１は、例えば、タブレット端末、パーソナルコンピュータ、ウェアラブル機器などであっても良い。当該ウェアラブル機器は、腕時計型などの腕に装着するタイプであっても良いし、メガネ型などの頭に装着するタイプであっても良いし、服型などの体に装着するタイプであっても良い。
【０１１６】
以上のように、電子機器１は詳細に説明されたが、上記した説明は、全ての局面において例示であって、この開示がそれに限定されるものではない。また、上述した各種変形例は、相互に矛盾しない限り組み合わせて適用可能である。そして、例示されていない無数の変形例が、この開示の範囲から外れることなく想定され得るものと解される。
【符号の説明】
【０１１７】
１  電子機器
１００  制御部
１０３ｂｂ  制御プログラム
１２０  表示部
１９０  第１カメラ（インカメラ）
２００  第２カメラ（アウトカメラ）
３５０  速さ取得部
【図１】
2017168886.tif 000003
【図２】
2017168886.tif 000004
【図３】
2017168886.tif 000005
【図４】
2017168886.tif 000006
【図５】
2017168886.tif 000007
【図６】
2017168886.tif 000008
【図７】
2017168886.tif 000009
【図８】
2017168886.tif 000010
【図９】
2017168886.tif 000011
【図１０】
2017168886.tif 000012
【図１１】
2017168886.tif 000013
【図１２】
2017168886.tif 000014
【図１３】
2017168886.tif 000015
【図１４】
2017168886.tif 000016
【図１５】
2017168886.tif 000017
【図１６】
2017168886.tif 000018
【図１７】
2017168886.tif 000019
【図１８】
2017168886.tif 000020
【図１９】
2017168886.tif 000021
【図２０】
2017168886.tif 000022
【図２１】
2017168886.tif 000023
【図２２】
2017168886.tif 000024
【図２３】
2017168886.tif 000025
【図２４】
2017168886.tif 000026
【図２５】
2017168886.tif 000027
【図２６】
2017168886.tif 000028